(57)【要約】【課題】吐出部から吐出される液体の着弾精度を保つとともに、前記液体で媒体が汚れることを抑制する。【解決手段】搬送される媒体Ｐに対して、該媒体Ｐの搬送方向Ａと交差する交差方向Ｂに移動しながら液体を吐出可能な吐出部１２と、吐出部１２の移動に対応して交差方向Ｂに移動しながら媒体Ｐを支持する移動支持部８と、を備えることを特徴とする液体吐出装置１。このような構成の液体吐出装置１とすることによって、吐出部１２から吐出される液体の着弾精度を保つとともに、前記液体で媒体Ｐが汚れることを抑制することが可能になる。【選択図】図１
2016036913.tif 000002
【特許請求の範囲】
【請求項１】
搬送される媒体に対して、該媒体の搬送方向と交差する交差方向に移動しながら液体を吐出可能な吐出部と、
前記吐出部の移動に対応して前記交差方向に移動しながら前記媒体を支持する移動支持部と、
を備えることを特徴とする液体吐出装置。
【請求項２】
請求項１に記載の液体吐出装置において、
前記移動支持部は、前記吐出部の移動領域の少なくとも一部に対して前記液体の吐出方向において対向する領域を含む移動領域を、前記吐出部と連動して移動することを特徴とする液体吐出装置。
【請求項３】
請求項１又は２に記載の液体吐出装置において、
前記移動支持部は、前記吐出部に対して、該吐出部から前記液体を吐出する際の該吐出部の移動方向において、前方側に設けられることを特徴とする液体吐出装置。
【請求項４】
請求項３に記載の液体吐出装置において、
前記移動支持部は、さらに、前記吐出部に対して、該吐出部から前記液体を吐出する際の該吐出部の移動方向において、後方側に設けられることを特徴とする液体吐出装置。
【請求項５】
請求項１から４のいずれか１項に記載の液体吐出装置において、
前記交差方向に延設され、前記移動支持部の移動領域を構成する溝部を備え、
前記溝部は、前記液体の排出口を有することを特徴とする液体吐出装置。
【請求項６】
請求項５に記載の液体吐出装置において、
前記移動支持部は、前記媒体を支持する側から前記排出口に面する側に貫通する孔部を有することを特徴とする液体吐出装置。
【請求項７】
請求項５又は６に記載の液体吐出装置において、
前記排出口を介して前記溝部を吸引する吸引部を備えることを特徴とする液体吐出装置。
【請求項８】
請求項５から７のいずれか１項に記載の液体吐出装置において、
前記溝部は、前記交差方向から見て両端部側よりも中央部側が凹んでいることを特徴とする液体吐出装置。
【請求項９】
請求項１から８のいずれか１項に記載の液体吐出装置において、
前記移動支持部の洗浄部を備えることを特徴とする液体吐出装置。
【請求項１０】
請求項１から９のいずれか１項に記載の液体吐出装置において、
前記移動支持部は、前記媒体を線接触又は点接触で支持することを特徴とする液体吐出装置。
【請求項１１】
請求項１から１０のいずれか１項に記載の液体吐出装置において、
前記移動支持部は、前記媒体を支持する側の前記交差方向のうちの少なくとも一方が面取りされていることを特徴とする液体吐出装置。
【発明の詳細な説明】
【技術分野】
【０００１】
本発明は、液体吐出装置に関する。
【背景技術】
【０００２】
従来から、インクなどの液体を媒体に吐出する液体吐出装置が使用されている。このような液体吐出装置においては、媒体として、メッシュ状のものや薄手の布帛などの柔らかく液体が裏側に浸透しやすいものを使用する場合がある。このような媒体に液体を吐出する場合、メッシュの穴を液体が通過することや、裏側に浸透した液体によって媒体の支持部が汚れ、その汚れが媒体に付着することで媒体が汚れることがある。  
そこで、例えば、特許文献１には、媒体の支持部としてリブ状のガイド部材を設け、媒体と支持部の接触面積を減らした構成の装置が開示されている。
【先行技術文献】
【特許文献】
【０００３】
【特許文献１】特開２００３−９６６５８号公報
【発明の概要】
【発明が解決しようとする課題】
【０００４】
しかしながら、特許文献１の装置のように、媒体の支持部としてリブ状のガイド部材を設ける装置では、吐出部としての記録ヘッドがリブ状のガイド部材に対向する位置でインクを吐出するとリブ状のガイド部材がインクで汚れる場合があった。そして、その汚れが媒体に付着することで媒体が汚れる場合があった。  
また、特許文献１では、リブ状のガイド部材における記録ヘッドと対向する位置を凹ませた構成も開示しているが、このような構成では、柔らかい媒体はこの凹みに倣って変形する場合があった。そして、記録ヘッドと媒体との距離（所謂ＰＧ）が大きくなってしまい、記録ヘッドから吐出されるインクの着弾精度が低下する場合があった。
【０００５】
そこで、本発明の目的は、吐出部から吐出される液体の着弾精度を保つとともに、前記液体で媒体が汚れることを抑制することである。
【課題を解決するための手段】
【０００６】
上記課題を解決するための本発明の第１の態様の液体吐出装置は、搬送される媒体に対して、該媒体の搬送方向と交差する交差方向に移動しながら液体を吐出可能な吐出部と、前記吐出部の移動に対応して前記交差方向に移動しながら前記媒体を支持する移動支持部と、を備えることを特徴とする。
【０００７】
本発明の第２の態様の液体吐出装置は、前記第１の態様において、前記移動支持部は、前記吐出部の移動領域の少なくとも一部に対して前記液体の吐出方向において対向する領域を含む移動領域を、前記吐出部と連動して移動することを特徴とする。
【０００８】
本発明の第３の態様の液体吐出装置は、前記第１又は第２の態様において、前記移動支持部は、前記吐出部に対して、該吐出部から前記液体を吐出する際の該吐出部の移動方向において、前方側に設けられることを特徴とする。
【０００９】
本発明の第４の態様の液体吐出装置は、前記第３の態様において、前記移動支持部は、さらに、前記吐出部に対して、該吐出部から前記液体を吐出する際の該吐出部の移動方向において、後方側に設けられることを特徴とする。
【００１０】
本発明の第５の態様の液体吐出装置は、前記第１から第４のいずれか１つの態様において、前記交差方向に延設され、前記移動支持部の移動領域を構成する溝部を備え、前記溝部は、前記液体の排出口を有することを特徴とする。
【００１１】
本発明の第６の態様の液体吐出装置は、前記第５の態様において、前記移動支持部は、前記媒体を支持する側から前記排出口に面する側に貫通する孔部を有することを特徴とする。
【００１２】
本発明の第７の態様の液体吐出装置は、前記第５又は第６の態様において、前記排出口を介して前記溝部を吸引する吸引部を備えることを特徴とする。
【００１３】
本発明の第８の態様の液体吐出装置は、前記第５から第７のいずれか１つの態様において、前記溝部は、前記交差方向から見て両端部側よりも中央部側が凹んでいることを特徴とする。
【００１４】
本発明の第９の態様の液体吐出装置は、前記第１から第８のいずれか１つの態様において、前記移動支持部の洗浄部を備えることを特徴とする。
【００１５】
本発明の第１０の態様の液体吐出装置は、前記第１から第９のいずれか１つの態様において、前記移動支持部は、前記媒体を線接触又は点接触で支持することを特徴とする。
【００１６】
本発明の第１１の態様の液体吐出装置は、前記第１から第１０のいずれか１つの態様において、前記移動支持部は、前記媒体を支持する側の前記交差方向のうちの少なくとも一方が面取りされていることを特徴とする。
【発明の効果】
【００１７】
本発明によれば、吐出部から吐出される液体の着弾精度を保つとともに、前記液体で媒体が汚れることを抑制することができる。
【図面の簡単な説明】
【００１８】
【図１】本発明の実施例１に係る記録装置を表す概略側面図。
【図２】本発明の実施例１に係る記録装置の要部を表す概略背面図。
【図３】本発明の実施例１に係る記録装置の要部を表す概略平面図。
【図４】本発明の実施例１に係る記録装置の要部を表す概略正面図。
【図５】本発明の実施例１に係る記録装置の要部を表す概略斜視断面図。
【図６】本発明の実施例１に係る記録装置の要部を表す概略側面断面図。
【図７】本発明の実施例１に係る記録装置のブロック図。
【図８】本発明の実施例２に係る記録装置の要部を表す概略斜視断面図。
【発明を実施するための形態】
【００１９】
以下に、本発明の液体吐出装置としての一実施例に係る記録装置について、添付図面を参照して詳細に説明する。
【００２０】
［実施例１］（図１〜図７）  
図１は、本実施例の記録装置１を表す概略側面図である。また、図２は本実施例の記録装置１の要部を表す概略背面図、図３は本実施例の記録装置１の要部を表す概略平面図、図４は本実施例の記録装置１の要部を表す概略正面図、図５は本実施例の記録装置１の要部を表す概略斜視断面図、図６は本実施例の記録装置１の要部を表す概略側面断面図である。  
なお、図１から図６中において、方向Ｚは記録装置１を水平面に設置した場合における鉛直方向を表し、方向Ｘは方向Ｚと垂直な方向であって下記の交差方向Ｂに対応する方向を表し、方向Ｙは方向Ｘ及びＺと共に垂直な方向を表している。
【００２１】
図１で表されるように、本実施例の記録装置１は、被記録媒体Ｐ（媒体）のセット部１４から、被記録媒体Ｐの支持部であるプラテン２、プラテン３及びプラテン４を介して、被記録媒体Ｐの巻取部１５まで、被記録媒体Ｐを搬送方向Ａに搬送する。すなわち、セット部１４から巻取部１５までが記録装置１における被記録媒体Ｐの搬送経路であり、プラテン２、プラテン３及びプラテン４は該搬送経路に設けられた被記録媒体Ｐの支持部である。なお、セット部１４は回転方向Ｃに回転して被記録媒体Ｐを送出し、巻取部１５は回転方向Ｃに回転して被記録媒体Ｐを巻き取る。
【００２２】
なお、本実施例の記録装置１は、ロール状の被記録媒体Ｐに記録を行うことが可能な構成であるが、このような構成に限定されず、単票状の被記録媒体Ｐに記録を行うことが可能な構成であってもよい。単票状の被記録媒体Ｐに記録を行うことが可能な構成である場合、被記録媒体Ｐのセット部１４として、例えば、所謂、給紙（給送）トレイ及び給紙（給送）カセットなどと呼ばれるものを使用してもよい。また、被記録媒体Ｐの回収部として、例えば、所謂、排出用受部、排紙（排出）トレイ及び排紙（排出）カセットなどと呼ばれるものを使用してもよい。
【００２３】
なお、本実施例では記録面１６（インクの着弾面）が外側になるように巻かれているロール式の被記録媒体Ｐを使用しているので、被記録媒体Ｐをセット部１４から送出する際、セット部１４の回転軸は回転方向Ｃに回転する。一方、記録面１６が内側になるように巻かれているロール式の被記録媒体Ｐを使用する場合は、セット部１４の回転軸は回転方向Ｃとは逆回転して送出することが可能である。  
そして、同様に、本実施例の巻取部１５は被記録媒体Ｐの記録面１６が外側になるように巻き取るので、巻取部１５の回転軸は回転方向Ｃに回転する。一方、記録面１６が内側になるように巻き取る場合は、巻取部１５の回転軸は回転方向Ｃとは逆回転して巻き取ることが可能である。
【００２４】
また、本実施例の記録装置１は、プラテン２とプラテン３の間に、搬送方向Ａと交差する交差方向Ｂの回転軸を有し、記録面１６の反対側の面である被記録媒体Ｐの面１７に送り力を付与する駆動ローラー５が設けられている。  
そして、駆動ローラー５と対向する位置には、交差方向Ｂの回転軸を有する従動ローラー７が設けられている。ローラー対を構成する駆動ローラー５と従動ローラー７とで被記録媒体Ｐを挟持することができる。このような構成により、駆動ローラー５と従動ローラー７とで搬送部９を構成している。ここで、従動ローラーとは、被記録媒体Ｐの搬送に伴って回転するローラーを意味する。  
また、被記録媒体Ｐを搬送方向Ａに搬送する際は、駆動ローラー５は回転方向Ｃに回転し、従動ローラー７は回転方向Ｃとは逆方向に回転する。
【００２５】
また、本実施例の記録装置１は、プラテン３と対向する側に吐出部としての記録ヘッド１２が備えられている。記録装置１は、キャリッジ１１を介して交差方向Ｂに記録ヘッド１２を往復移動させながら、記録ヘッド１２のノズル形成面Ｆから被記録媒体Ｐにインクを吐出させて所望の画像を形成する。このような構成により、吐出部としての記録ヘッド１２は、被記録媒体Ｐに液体としてのインクを吐出することができる。
【００２６】
また、プラテン３における記録ヘッド１２のノズル形成面Ｆと対向する位置には、図３で表されるように交差方向Ｂに延設される溝部６が形成されている。そして、溝部６には、被記録媒体Ｐを交差方向Ｂに移動しながら支持する移動支持部８が設けられている。  
このような構成により、本実施例の記録装置１は、キャリッジ１１（記録ヘッド１２）の移動に対応して移動支持部８を交差方向Ｂに移動させながら、被記録媒体Ｐを支持することで記録ヘッド１２から吐出されるインクの着弾精度を保っている。また、図２で表されるように、移動支持部８が被記録媒体Ｐを支持する位置を、交差方向Ｂにおいて記録ヘッド１２と移動支持部８とが対向する位置からずれた位置としている。このような配置とすることで、例えば、被記録媒体Ｐとしてメッシュ状のものを使用してもメッシュの穴を記録ヘッド１２から吐出されたインクが通過して移動支持部８に付着し、該移動支持部８に付着したインクで被記録媒体Ｐが汚れることを、抑制している。  
なお、移動支持部８と記録ヘッド１２との位置関係や、後述する移動支持部８及び記録ヘッド１２の交差方向Ｂにおける移動制御は、本実施例のようになっていなかったとしてもよい。例えば、本実施例の移動制御は、制御部３６（図７参照）により１つの駆動機構（キャリッジモーター４４）で移動支持部８及び記録ヘッド１２を駆動させることで、移動支持部８の移動を記録ヘッド１２の移動に連動させている。しかしながら、移動支持部８の移動を記録ヘッド１２の移動に対応させていれば、移動支持部８を記録ヘッド１２とは連動させなくても、記録ヘッド１２から吐出されるインクの着弾精度を保つとともに、インクで被記録媒体Ｐが汚れることを抑制することが可能になるためである。  
ここで、移動支持部８の移動を記録ヘッド１２の移動に「対応させる」とは、同じ速度で同時に移動することのほか、速度のずれや移動の開始及び終了のずれが多少ある場合等も含む意味である。
【００２７】
また、図２の記録装置１の要部の概略背面図、図３の記録装置１の要部の概略平面図及び図４の記録装置１の要部の概略正面図で表されるように、本実施例の記録装置１は、移動支持部８として移動支持部８ａ及び８ｂの２つを備えている。  
そして、移動支持部８ａは、記録ヘッド１２に対して、交差方向Ｂのうちの移動方向Ｂ２に移動する際において、前方側に位置する。このため、移動方向Ｂ２に移動する際、記録ヘッド１２から吐出されるインクが付着しにくい位置で被記録媒体Ｐを支持し続けることができる構成になっている。  
一方、移動支持部８ｂは、記録ヘッド１２に対して、交差方向Ｂのうちの移動方向Ｂ１に移動する際において、前方側に位置する。このため、移動方向Ｂ１に移動する際、記録ヘッド１２から吐出されるインクが付着しにくい位置で被記録媒体Ｐを支持し続けることができる構成になっている。  
本実施例の記録装置１は、移動方向Ｂ１及びＢ２の何れにも移動しながら記録することが可能な構成である。ただし、移動方向Ｂ１及びＢ２の一方に移動しながらにおいてのみ記録する構成の記録装置としてもよく、移動支持部８をその移動の際の前方側に設けることで記録ヘッド１２から吐出されるインクが付着しにくい位置で被記録媒体Ｐを支持し続けることが可能になる。
【００２８】
また、本実施例の記録装置１は、移動支持部８として移動支持部８ａ及び８ｂの２つを備えているので、記録ヘッド１２に対して、該記録ヘッド１２からインクを吐出する際の該記録ヘッド１２の移動方向において、後方側にも設けられる構成になっている。  
このため、前方側の移動支持部８ａ（８ｂ）と後方側の移動支持部８ｂ（８ａ）とにより、高い精度でＰＧを保つことができる構成になっている。すなわち、記録ヘッド１２から吐出されるインクの着弾精度を保つことが可能な位置で被記録媒体Ｐを支持し続けることができる構成になっている。
【００２９】
また、図３で表されるように、本実施例の移動支持部８は、記録ヘッド１２が該記録ヘッド１２の移動領域２９を移動する際にインク吐出面Ｆが対向する領域を含む領域である移動領域３０を移動する。そして、制御部３６（図７参照）による移動制御により、移動支持部８が移動方向Ｂ１及びＢ２に移動する際、記録ヘッド１２と連動して移動する。  
別の表現をすると、本実施例の移動支持部８は、記録ヘッド１２の移動領域２９の少なくとも一部に対してインクの吐出方向において対向する領域を含む移動領域３０を、記録ヘッド１２と連動して移動する。  
そして、図２及び図３で表されるように、記録ヘッド１２のインク吐出面Ｆと対向する領域と交差方向Ｂに隣りあう領域に移動支持部８ａ及び８ｂを構成することで、記録ヘッド１２から吐出されるインクの着弾精度を保ちつつ記録ヘッド１２から吐出されるインクが付着しにくい位置で被記録媒体Ｐを支持し続けることを可能にしている。
【００３０】
移動支持部８を記録ヘッド１２に連動して移動させる本実施例の移動構成について、図２を用いて説明する。  
記録ヘッド１２を有するキャリッジ１１、移動支持部８ａ及び８ｂは、いずれも、接続部２３によりベルト２２に接続されている。図２で表されるように、ベルト２２は、プーリー２４、２５、２６及び２７に８の字状に架けられている。詳細には、上側のプーリー２４及び２５に架けられたベルト２２を１回交差させて下側のプーリー２６及び２７に架けられている。  
なお、プーリー２４はキャリッジモーター４４（図７参照）に接続されている。
【００３１】
このように、ベルト２２がプーリー２４、２５、２６及び２７に架けられていることにより、プーリー２４が回転方向Ｄ２に回転するとプーリー２５も回転方向Ｄ２に回転し、プーリー２６及び２７は回転方向Ｄ２とは逆の回転方向Ｄ１に回転する。すると、キャリッジ１１は移動方向Ｂ１に移動し、移動支持部８ａ及び８ｂも移動方向Ｂ１に移動する。  
一方、プーリー２４が回転方向Ｄ１に回転するとプーリー２５も回転方向Ｄ１に回転し、プーリー２６及び２７は回転方向Ｄ２に回転する。すると、キャリッジ１１は移動方向Ｂ２に移動し、移動支持部８ａ及び８ｂも移動方向Ｂ２に移動する。
【００３２】
なお、ベルト２２に対する被記録媒体Ｐの搬送経路の位置は、図２で表されるように、上側のプーリー２４及び２５と下側のプーリー２６及び２７との間の位置であって、ベルト２２における上側のプーリー２４及び２５と下側のプーリー２６及び２７とにより交差する部分の下側の位置である。このような位置とすることにより、ベルト２２と被記録媒体Ｐとが接触することを抑制している。  
本実施例の記録装置１では、移動支持部８を記録ヘッド１２に連動して移動させる移動構成を、１つのベルト２２を用いて１つのユニットで構成している。しかしながら、移動支持部８の移動ユニットと記録ヘッド１２の移動ユニットとを別々に設けたうえで、移動支持部８と記録ヘッド１２とを連動させる構成としてもよい。
【００３３】
また、図２で表されるように、本実施例の移動支持部８ａ及び８ｂは、被記録媒体Ｐを支持する側２０の交差方向Ｂの一方が、面取り部２８で表されるように面取りされている。このため、移動支持部８ａ及び８ｂが交差方向Ｂに移動する際に被記録媒体Ｐに引っかかることを抑制している。
【００３４】
次に、移動支持部８の洗浄部３１について説明する。  
図３で表されるように、本実施例の記録装置１は、移動支持部８の洗浄部３１を備えている。このため、移動支持部８にインクが付着した場合でも該インクを取り除くことが可能であり、移動支持部８に付着したインクが被記録媒体Ｐに付着することを抑制している。
【００３５】
詳細には、洗浄部３１は、プラテン３の交差方向Ｂの両側端部に設けられ、移動支持部８が移動領域３０における図３中の右側端部に移動した際に移動支持部８ａを洗浄可能な洗浄部３１ａと、移動支持部８が移動領域３０における図３中の左側端部に移動した際に移動支持部８ｂを洗浄可能な洗浄部３１ｂと、が設けられている。  
なお、本実施例の洗浄部３１ａ及び３１ｂは共に布で移動支持部８の被記録媒体Ｐを支持する側２０を拭くことが可能な構成であるが、このような構成に限定されず、樹脂製のワイパー等を使用してもよい。
【００３６】
また、本実施例の記録装置１は、プラテン３の交差方向Ｂの一方の端部に移動支持部８ａを洗浄可能な洗浄部３１ａを備え、プラテン３の交差方向Ｂの他方の端部に移動支持部８ｂを洗浄可能な洗浄部３１ｂを備える構成である。ここで、記録ヘッド１２から被記録媒体Ｐに吐出されたインクが記録面１６から面１７に浸透して移動支持部８ａ及び８ｂまで到着するのには、ある程度の時間がかかる。本実施例の記録装置１は、移動支持部８ａ及び８ｂが記録ヘッド１２と対向する位置からずれて配置されているので、特に、記録ヘッド１２から被記録媒体Ｐに吐出されたインクが記録面１６から面１７に浸透して移動支持部８ａ及び８ｂまで到着するのに時間がかかる。このため、移動支持部８ａ及び８ｂの１回の往復動作で移動支持部８ａ及び８ｂを１回洗浄する本実施例の構成で、移動支持部８ａ及び８ｂに付着したインクが被記録媒体Ｐに付着することを抑制することが可能になっている。しかしながら、このような構成には限定されず、プラテン３の交差方向Ｂの両方の端部に移動支持部８ａ及び８ｂの両方を洗浄可能な洗浄部３１を設ける構成としてもよい。このような構成とすることで、より効率的に移動支持部８を洗浄することが可能になる。
【００３７】
次に、溝部６及び移動支持部８の具体的な構造について説明する。  
図１及び記録装置１の要部の概略斜視断面図である図５で表されるように、本実施例の溝部６は、インクの排出口１３を有している。このため、該排出口１３を介して溝部６に存在するインク（記録ヘッド１２からのインクの吐出に伴うミストや該溝部６に溜まったインク）を排出させることが可能な構成になっている。そして、このような構成とすることで、溝部６における移動支持部８が存在していない部分（特に移動支持部８からの距離が離れた部分）に被記録媒体Ｐの一部が垂れ下がり、溝部６に存在するインクに被記録媒体Ｐが接触することを抑制している。
【００３８】
また、図５及び記録装置１の要部の概略側面断面図である図６で表されるように、本実施例の溝部６は、交差方向Ｂから見て両端部（端部３４及び３５）側よりも中央部３３側が凹んでいる。具体的には、中央部３３は、端部３４よりも長さＬ１分凹んでいるとともに、端部３５よりも長さＬ２分凹んでいる。このため、被記録媒体Ｐの一部が溝部６に垂れ下がった場合でも、溝部６に存在するインクに被記録媒体Ｐが接触する可能性が低くなっている。  
なお、溝部６の該凹み（図６中の方向Ｚにおける長さ）は、例えば、溝部６の上端部分の間隔（図６中の方向Ｙにおける長さ）が６０ｍｍ程度である場合に、３５ｍｍ程度以上であることが好ましい。すなわち、溝部６の上端部分の間隔に対して７／１２（３５／６０）以上の深さになるよう構成されるのが好ましい。
【００３９】
また、図１、図３及び図５で表されるように本実施例の移動支持部８は孔部１０を有し、図１で表されるように孔部１０は被記録媒体Ｐを支持する側２０から排出口１３に面する側２１に貫通している。  
このため、該移動支持部８の被記録媒体Ｐを支持する側２０からインクの吐出に伴うミストなどを排出させることが可能になっており、該移動支持部８の被記録媒体Ｐを支持する側２０にミストなどが付着することを抑制している。すなわち、このような構成とすることで、該移動支持部８の被記録媒体Ｐを支持する側２０に付着したインクが被記録媒体Ｐに付着することを抑制している。
【００４０】
また、図１で表されるように、本実施例の記録装置１は、排出口１３及びチューブ１８を介して溝部６を吸引する吸引部１９を備えている。このため、排出口１３及びチューブ１８を介して溝部６に存在するインクを効果的に排出させることができる構成になっている。  
なお、吸引部１９の構成に特に限定はなく、例えば、ファンを回すことにより溝部６から吸引部１９側に気流を発生させる構成などを採用することができる。また、本実施例の記録装置１では、チューブ１８を介して溝部６を吸引する構成であるがこのような構成に限定されず、チューブ１８を有さない構成やチューブ１８の代わりに別の部材を有する構成などであってもよい。
【００４１】
次に、本実施例の記録装置１における電気的な構成について説明する。  
図７は、本実施例の記録装置１のブロック図である。  
制御部３６には、記録装置１の全体の制御を司るＣＰＵ３７が設けられている。ＣＰＵ３７は、システムバス３８を介して、ＣＰＵ３７が実行する各種制御プログラム等を格納したＲＯＭ３９と、データを一時的に格納可能なＲＡＭ４０と、接続されている。
【００４２】
また、ＣＰＵ３７は、システムバス３８を介して、記録ヘッド１２を駆動するためのヘッド駆動部４１と接続されている。  
また、ＣＰＵ３７は、システムバス３８を介して、吸引部１９を駆動するための吸引部駆動部４２と接続されている。  
また、ＣＰＵ３７は、システムバス３８を介して、キャリッジ１１及び移動支持部８を移動させるためにプーリー２４に回転力を付与するキャリッジモーター４４、セット部１４の駆動源である送出モーター４５、駆動ローラー５の駆動源である搬送モーター４６、巻取部１５の駆動源である巻取モーター４７、を駆動させるためのモーター駆動部４３と接続されている。  
さらに、ＣＰＵ３７は、システムバス３８を介して、入出力部４８と接続されており、入出力部４８は、記録データ等を記録装置１に入力する外部装置であるＰＣ４９と接続されている。
【００４３】
［実施例２］（図８）  
次に、実施例２の記録装置について、添付図面を参照して詳細に説明する。  
図８は本実施例の記録装置１の要部を表す概略斜視断面図である。なお、上記実施例１と共通する構成部材は同じ符号で示しており、詳細な説明は省略する。  
なお、本実施例の記録装置１は、移動支持部８の構成以外は、実施例１の記録装置１と同様の構成である。
【００４４】
実施例１の移動支持部８は、移動支持部８ａ及び８ｂ共に、被記録媒体Ｐを支持する側２０が平面状であり、被記録媒体Ｐを面接触で支持する構成であった。一方、本実施例の移動支持部８は、移動支持部８ａ及び８ｂ共に、被記録媒体Ｐを支持する側２０に凹凸部３２が構成されており、被記録媒体Ｐを線接触で支持する構成である。  
なお、図８では、移動支持部８のうち移動支持部８ａのみが表されているが、移動支持部８ｂも移動支持部８ａと同様の構成である。
【００４５】
本実施例の移動支持部８のように、被記録媒体Ｐを線接触で支持する構成や、被記録媒体Ｐを点接触で支持する構成とすることにより、移動支持部８と被記録媒体Ｐとの接触面積を減らすことができ、移動支持部８に付着したインクが被記録媒体Ｐに付着することを抑制できる。
【００４６】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００４７】
本発明の第１の態様の液体吐出装置１は、搬送される媒体Ｐに対して、該媒体Ｐの搬送方向Ａと交差する交差方向Ｂに移動しながら液体を吐出可能な吐出部１２と、吐出部１２の移動に対応して交差方向Ｂに移動しながら媒体Ｐを支持する移動支持部８と、を備えることを特徴とする。
【００４８】
本態様によれば、吐出部１２の移動に対応して交差方向Ｂに移動しながら媒体Ｐを支持する移動支持部８を備える。このため、例えば、吐出部１２と移動支持部８とを、対向する位置からずれた位置に配置し、該配置が保たれるように両者を移動させることにより、吐出部１２から吐出される液体の着弾精度を保つとともに、液体で媒体Ｐが汚れることを抑制することが可能になる。
【００４９】
本発明の第２の態様の液体吐出装置１は、前記第１の態様において、移動支持部８は、吐出部１２の移動領域２９の少なくとも一部に対して前記液体の吐出方向において対向する領域を含む移動領域３０を、吐出部１２と連動して移動することを特徴とする。
【００５０】
本態様によれば、移動支持部８は、吐出部１２の移動領域２９の少なくとも一部に対して液体の吐出方向において対向する領域を含む移動領域３０を、吐出部１２と連動して移動する。このため、例えば、吐出部１２と対向する領域と交差方向Ｂに隣りあう領域など、吐出部１２から吐出される液体の着弾精度を保つことが可能な位置であって吐出部１２から吐出される液体が付着しにくい位置で媒体Ｐを支持し続けることが可能になる。
【００５１】
本発明の第３の態様の液体吐出装置１は、前記第１又は第２の態様において、移動支持部８ａ（８ｂ）は、吐出部１２に対して、該吐出部１２から前記液体を吐出する際の該吐出部１２の移動方向Ｂ２（Ｂ１）において、前方側に設けられることを特徴とする。
【００５２】
本態様によれば、移動支持部８ａ（８ｂ）は、吐出部１２に対して、移動方向Ｂ２（Ｂ１）において、前方側に設けられる。このため、吐出部１２から吐出される液体が付着しにくい位置で媒体Ｐを支持し続けることができる。
【００５３】
本発明の第４の態様の液体吐出装置１は、前記第３の態様において、移動支持部８ｂ（８ａ）は、さらに、吐出部１２に対して、該吐出部１２から前記液体を吐出する際の該吐出部の移動方向Ｂ２（Ｂ１）において、後方側に設けられることを特徴とする。
【００５４】
本態様によれば、移動支持部８ｂ（８ａ）は、移動方向Ｂ２（Ｂ１）において後方側にも設けられる。このため、前方側の移動支持部８ａ（８ｂ）と後方側の移動支持部８ｂ（８ａ）とにより、高い精度でＰＧを保つことができる。すなわち、吐出部１２から吐出される液体の着弾精度を保つことが可能な位置で媒体Ｐを支持し続けることができる。
【００５５】
本発明の第５の態様の液体吐出装置１は、前記第１から第４のいずれか１つの態様において、交差方向Ｂに延設され、移動支持部８の移動領域３０を構成する溝部６を備え、溝部６は、前記液体の排出口１３を有することを特徴とする。
【００５６】
本態様によれば、溝部６は液体の排出口１３を有する。このため、該排出口１３を介して溝部６に存在する液体（吐出部１２からの液体の吐出に伴うミストや該溝部６に溜まった液体）を排出させることが可能になり、媒体Ｐの一部が溝部６に垂れ下がり溝部６に存在する液体に媒体Ｐが接触することを抑制することが可能になる。
【００５７】
本発明の第６の態様の液体吐出装置１は、前記第５の態様において、移動支持部８は、媒体Ｐを支持する側２０から排出口１３に面する側２１に貫通する孔部１０を有することを特徴とする。
【００５８】
本態様によれば、移動支持部８は媒体Ｐを支持する側２０から排出口１３に面する側２１に貫通する孔部１０を有する。このため、該移動支持部８の媒体Ｐを支持する側２０から液体の吐出に伴うミストなどを排出させることが可能になり、該移動支持部８の媒体Ｐを支持する側２０にミストなどが付着することを抑制することで、該移動支持部８の媒体Ｐを支持する側２０に付着した液体が媒体Ｐに付着することを抑制することが可能になる。
【００５９】
本発明の第７の態様の液体吐出装置１は、前記第５又は第６の態様において、排出口１３を介して溝部６を吸引する吸引部１９を備えることを特徴とする。
【００６０】
本態様によれば、排出口１３を介して溝部６を吸引する吸引部１９を備える。このため、排出口１３を介して溝部６に存在する液体を効果的に排出させることができる。
【００６１】
本発明の第８の態様の液体吐出装置は、前記第５から第７のいずれか１つの態様において、溝部６は、交差方向Ｂから見て両端部３４及び３５側よりも中央部３３側が凹んでいることを特徴とする。
【００６２】
本態様によれば、溝部６は、交差方向から見て両端部３４及び３５側よりも中央部３３側が凹んでいる。このため、媒体Ｐの一部が溝部６に垂れ下がった場合でも、溝部６に存在する液体に媒体Ｐが接触する可能性を低くすることができる。
【００６３】
本発明の第９の態様の液体吐出装置１は、前記第１から第８のいずれか１つの態様において、移動支持部８の洗浄部３１を備えることを特徴とする。
【００６４】
本態様によれば、移動支持部８の洗浄部３１を備える。このため、移動支持部８に液体が付着した場合でも該液体を取り除くことが可能になり、移動支持部８に付着した液体が媒体Ｐに付着することを抑制できる。
【００６５】
本発明の第１０の態様の液体吐出装置１は、前記第１から第９のいずれか１つの態様において、移動支持部８は、媒体Ｐを線接触又は点接触で支持することを特徴とする。
【００６６】
本態様によれば、移動支持部８は媒体Ｐを線接触又は点接触で支持する。このため、移動支持部８と媒体Ｐとの接触面積を減らすことができ、移動支持部８に付着した液体が媒体Ｐに付着することを抑制できる。
【００６７】
本発明の第１１の態様の液体吐出装置１は、前記第１から第１０のいずれか１つの態様において、移動支持部８は、媒体Ｐを支持する側２０の交差方向Ｂのうちの少なくとも一方が面取りされていることを特徴とする。
【００６８】
本態様によれば、移動支持部８は、媒体Ｐを支持する側２０の交差方向Ｂのうちの少なくとも一方が面取りされている。このため、移動支持部８が交差方向Ｂに移動する際に媒体Ｐに引っかかることを抑制することができる。
【符号の説明】
【００６９】
１  記録装置（液体吐出装置）、２  プラテン、３  プラテン、４  プラテン、
５  駆動ローラー、６  溝部、７  従動ローラー、８  移動支持部、９  搬送部、
１０  孔部、１１  キャリッジ、１２  記録ヘッド（吐出部）、１３  排出口、
１４  セット部、１５  巻取部、１６  記録面、
１７  記録面とは反対側の面、１８  チューブ、１９  吸引部、
２０  移動支持部８における被記録媒体Ｐを支持する側、
２１  移動支持部８における排出口１３に面する側、２２  ベルト、２３  接続部、
２４  プーリー、２５  プーリー、２６  プーリー、２７  プーリー、
２８  面取り部、２９  記録ヘッド１２の移動領域、３０  移動支持部８の移動領域、
３１  洗浄部、３２  凹凸部、３３  溝部６の中央部、３４  溝部６の端部、
３５  溝部６の端部、３６  制御部、３７  ＣＰＵ、３８  システムバス、
３９  ＲＯＭ、４０  ＲＡＭ、４１  ヘッド駆動部、４２  吸引部駆動部、
４３  モーター駆動部、４４  キャリッジモーター、４５  送出モーター、
４６  搬送モーター、４７  巻取モーター、４８  入出力部、４９  ＰＣ、
Ｆ  ノズル形成面、Ｐ  被記録媒体（媒体）
【図１】
2016036913.tif 000003
【図２】
2016036913.tif 000004
【図３】
2016036913.tif 000005
【図４】
2016036913.tif 000006
【図５】
2016036913.tif 000007
【図６】
2016036913.tif 000008
【図７】
2016036913.tif 000009
【図８】
2016036913.tif 000010